(57)【要約】【課題】  操作性に優れ、有効に小型化を実現した、ディスクを記録媒体に用いたビデオカメラの提供を行う。【解決手段】  ビデオカメラのカメラ部とディスク部の背面形状を、記録媒体であるディスクの中心と概略等しい円弧形状とし、ディスク部背面の外形形状をカメラ部背面の外形形状より突出させ、グリップとする。さらに、カメラ部の側面の画像表示装置とカメラ部背面との間の面に、再生時に使用頻度の高い操作部（記録時に使用頻度の高い操作部）を配置する。【選択図】  図１
2007036466.tif 000002
【特許請求の範囲】
【請求項１】
カメラレンズを有するカメラ部と、
前記カメラレンズの光軸に平行な側面に、ディスク状記録媒体が着脱可能なディスク部を、
前記ディスク状記録媒体の平面が、前記カメラレンズの光軸に略平行となるように設け、
前記カメラ部に対して開閉可能な表示部を備えた撮像装置であって、
前記ディスク部およびカメラ部は、前記カメラレンズの被写体側と反対の面を背面とし、
前記ディスク部背面は、その形状がディスク状記録媒体と中心が略等しい円弧形状であることを特徴とする撮像装置。
【請求項２】
請求項１の撮像装置であって、
前記ディスク部背面の外形輪郭が、該カメラ部の外形形状より突出していることを特徴とする撮像装置。
【請求項３】
請求項１の撮像装置であって、
前記カメラ部背面の外形輪郭の１部又は全てが、ディスク状記録媒体と中心が略等しい円弧形状であることを特徴とする撮像装置。
【請求項４】
請求項１の撮像装置であって、
前記カメラ部の側面で、前記表示部と前記カメラ部背面との間の面に、
再生時に使用頻度の高い操作部を配置したことを特徴とする撮像装置。
【請求項５】
請求項４の撮像装置であって、
前記カメラ部の側面に配置した、再生時に使用頻度の高い操作部のうち
前記面の下側に配置した操作部よりも、前記面の上側に配置した操作部が、さらに使用頻度の高い操作部であることを特徴とする撮像装置。
【請求項６】
請求項４の撮像装置であって、
前記カメラ部の側面に配置した、再生時に使用頻度の高い操作部のうち
前記面の上側に指示系の操作部を配置し、前記面の下側に機能系の操作部を配置したことを特徴とする撮像装置。
【請求項７】
請求項１の撮像装置であって、
前記カメラ部背面に、再生時に使用頻度の低い操作部を配置したことを特徴とする撮像装置。
【請求項８】
請求項２の撮像装置であって、
カメラ部背面と、ディスク部の外形輪郭の間の面に、
再生時に使用頻度の高い操作部を配置したことを特徴とする撮像装置。
【発明の詳細な説明】
【技術分野】
【０００１】
本発明はディスクを記録媒体とする撮像装置に関し、特にディスクドライブを有するディスク部の一方の側面側にカメラ部が一体化され、さらに撮影画像を表示するためのモニター部が該カメラ部の側面に対して開閉可能に取り付けられた撮像装置に関する。
【背景技術】
【０００２】
ビデオカメラ本体内にカメラ部と、テープ駆動機構部などを内蔵し、このビデオカメラ本体の側面に液晶表示部（ＬＣＤ）を設けたビデオカメラが、例えば、特開平９−９１０８号公報に記載されている。該ビデオカメラのＬＣＤは、ＬＣＤを回動自在に支持する回転ヒンジを介してビデオカメラ本体に対して開閉または回転可能に取り付けられている。
【０００３】
図６は従来のビデオカメラを模式的に表す斜視図である。このビデオカメラは、撮影レンズを備えたカメラ本体６０１カメラ本体の側面に設けられて再生時に操作される操作ボタン６０２カメラ本体の側面に設けられたＬＣＤの回転ヒンジ６０３、回転ヒンジ６０３を介して設けられたＬＣＤ６０４、カメラ部背面に設けられて、撮影時に操作される操作部材６０８を備えて構成されている。
【０００４】
同図のビデオカメラは、撮像画面を該ＬＣＤの表示面６０４ａに表示させ、該ヒンジ機構によりＬＣＤ６０４を回動させることにより、ＬＣＤの表示面６０４ａをビデオカメラ本体６０１に対してある角度を持たせることが出来るため、ユーザーは撮影時にファインダーを用いずとも、撮影画面を観察することが出来る。
【０００５】
ユーザーが撮影を行う場合、右手６０５でカメラ本体のグリップ部６０６を持ち、左手６０７でＬＣＤ６０４を開き、見易い位置まで回動させ、右手６０５で操作部材６０８を操作し、ズーム操作や撮影の開始／停止を行う。撮影中の操作は主に右手６０５で行われる。
【０００６】
再生を行う場合も撮影と同様に、右手６０５でカメラ本体のグリップ部６０６を持ち、左手６０７でＬＣＤ６０４を開き、見易い位置まで回動させ、左手でカメラ本体の側面に設けられた操作ボタン６０２を操作する。
【０００７】
図７に示すように、上述の従来のビデオカメラは、かかる構成のヒンジ機構によって、図のようにＬＣＤ６０４を１８０°回転させビデオカメラ本体側面の収納部に収納することができる。この状態では、本体の側面にＬＣＤの表示画面６０４ａが外部に向かって収納されることで、ＬＣＤの表示画面６０４ａと操作部材６０２が同一の面に配置されることになるので、ユーザーはＬＣＤ６０４と本体側面に設けられた操作部材６０２を観察しながら操作を行うことができる。
【特許文献１】特開平９−９１０８号公報
【発明の開示】
【発明が解決しようとする課題】
【０００８】
近年、持ち運び・取り扱いが容易な小型のカメラ・ビデオカメラへのニーズが急速に増加している。さらに、カメラ・ビデオカメラが普及するに従って製品に対する機能のニーズも多様化してきている。このような小型化と多機能化のニーズは年々高度化してきており、ＤＶＤ等のコンパクトな光ディスクを記録媒体として用いることにより、ビデオカメラの多機能化と小型化を図ることも考えられる。
【０００９】
小型化を図る上で生ずる問題の１つは、狭い外装面積内に使い勝手の面も考慮して操作ボタンを配置することである。特に光ディスク媒体を用いたビデオカメラであっては、そのランダム性を生かし、記録されたデータのうち、好みのシーンを自由に組み合わせて所望のデータへと編集を行う為に、ディスクに記録されたデータを表示画面に再生、モニタしながら、ユーザーが任意のシーンのクリップについてＩＮとＯＵＴのポイントを設定したりする必要がある。
【００１０】
前述のような、データの編集を行う場合、図６や図７に示した従来のビデオカメラの再生姿勢では、カメラ側面に配置された操作ボタン６０２の操作時に、ＬＣＤの表示面６０４ａを左手６０７が横切ることにより、ＬＣＤの表示面６０４ａの視認性が悪くなる為、表示画面を見ながら操作ボタン６０２を操作する動作が非常にやりにくくなってしまう。すなわち使い勝手の面で問題となる。
【００１１】
また、一般的に、ビデオカメラの多機能化に比例して操作ボタンは増加する傾向にある。小型化したビデオカメラに操作ボタン配置するため、従来は操作ボタンを小型化するなどの対策をとっているが、操作ボタンの小型化は誤作動の原因となり、操作性を低下させてしまう。増加する傾向にある操作ボタンの操作性を低下させず、いかにして小型化した筐体に配置するかがビデオカメラの小型化のための課題となっている。
【００１２】
本発明は、以上の点に鑑みなされたものであって、その目的は、操作性に優れ、有効に小型化を実現した、ディスクを記録媒体とするビデオカメラの提供にある。
【課題を解決するための手段】
【００１３】
本発明は上記目的を達成するために、本出願に係る第１の発明は、ディスク状記録媒体を着脱可能なディスク部と、前記ディスク部の側面に設けられ、該ディスク部と一体化されたカメラ部と、前記カメラ部の側面に設けられ、該カメラ部に対して開閉可能な表示部とを備えた撮像装置であって、前記ディスク部およびカメラ部は被写体側にある前面部と、反対側の背面部を有し、前記ディスク部背面はその形状がディスク状記録媒体と中心が略等しい円弧形状であることを特徴とする。
【００１４】
また、本発明の他の特徴とするところは、前記ディスク部背面の外形輪郭が、該カメラ部の外形形状より突出していることを特徴とする。
【００１５】
また、本発明のその他の特徴とするところは、前記カメラ部背面の外形輪郭の１部又は全てが、ディスク状記録媒体と中心が略等しい円弧形状であることを特徴とする。
【００１６】
また、本発明のその他の特徴とするところは、前記カメラ部の側面上の前記表示部と、前記カメラ部背面との間の面に、再生時に使用頻度の高い操作部を配置したことを特徴とする。
【００１７】
また、本発明のその他の特徴とするところは、前記カメラ部の側面上の前記表示部と、前記カメラ部背面との間の面に配置した、再生時に使用頻度の高い操作部のうち前記面の下側に配置した操作部よりも、前記面の上側に配置した操作部が、さらに使用頻度の高い操作部であることを特徴とする。
【００１８】
また、本発明のその他の特徴とするところは、前記カメラ部背面に、再生時に使用頻度の低い操作部を配置したことを特徴とする。
【００１９】
また、本発明のその他の特徴とするところは、カメラ部背面と、ディスク部の外形輪郭の間の面に、再生時に使用頻度の高い操作部を配置したことを特徴とする。
【発明の効果】
【００２０】
以上説明したように本発明によれば、筐体が円状の記録媒体の形状に合せて、円弧状になっているため、筐体の円弧部分と、撮影者の手がフィットする。これにより非常にグリップ感の良いビデオカメラの提供が可能となる。
【００２１】
また、ディスク部背面の形状を円弧形状とし、カメラ部背面の外形形状より突出させることで、該突出部をグリップとする。該グリップにより、従来のビデオカメラのホールド方法に加え、再生時にＬＣＤ表示面の視認性と操作性の良い第２のホールド方法で保持することが容易となる。
【００２２】
また、背面のディスク部の形状を円弧形状とし、カメラ部背面の外形形状より突出させ、再生時に使用頻度の低い操作系を、カメラ部背面に設置することで、第２のホールド方法で、再生時に操作する必要の無い操作系を誤って操作することを防止できる。このため、ビデオカメラの操作性を向上することができる。
【００２３】
また、カメラ部の外形輪郭に対して突出したディスクドライブ部であり、レンズの光軸に対して平行な面に、再生時に使用頻度の高い操作部材を配置することで、記録時の操作性を低下させず、第２のホールド方法で、操作性の良い位置に操作部材を配置することが出来る。
【発明を実施するための最良の形態】
【００２４】
以下、本発明の実施の形態を図面により説明する。
【００２５】
図１、図２はディスク状記録媒体を用いたビデオカメラの具体例を示すもので、情報記録メディアであるディスク状記録媒体の具体例としてＤＶＤ（Ｄｉｇｉｔａｌ  Ｖｅｒｓａｔｉｌｅ  Ｄｉｓｋ）を使用し、カメラレンズから入射された光学的な像を電気的な信号に変換してＤＶＤに記録し、ＬＣＤ等の表示装置に表示できるようにしたものである。
【００２６】
本実施例に示すビデオカメラは、ディスク状記録媒体の具体例としてＤＶＤを使用しているが、本発明のディスク状記録媒体としてはＤＶＤに限定されるものではなく、例えばＣＤ−ＲＯＭや光磁気ディスクのような、記録可能な光ディスクを用いることができることは勿論のこと、その他の記録方式のディスク状記録媒体を適用できるものである。
【００２７】
図１、図２に示す撮像装置は、主に着脱自在に装着されるＤＶＤを回転駆動して情報信号の記録および再生を行うディスクドライブ装置２０２と、ディスクドライブ装置を覆う筐体による、ディスク部１０１と、主に被写体の光を図示しないＣＣＤに導くカメラレンズ１１５と図示しないディスクドライブの駆動制御を行う制御回路、該ＣＣＤとカメラレンズ１１５と該制御回路を覆う筐体によるカメラ部１０２で構成されている。
【００２８】
以下では、ビデオカメラにおけるカメラレンズ１１５のある被写体側を前面側、この端面とは反対側の端面を背面側とする。
【００２９】
ビデオカメラ筐体の一方の側面側であるディスク部１０１の筐体には、回動自在に取り付けられてディスクドライブ装置２０２を開閉可能に覆うことが出来るディスク開閉蓋２０３が取り付けられており、該開閉蓋２０３を開閉してＤＶＤ２０１を、内蔵のディスクドライブ装置２０２に装着している。ディスク部１０１の背面形状は、ビデオカメラの小型化のため、装着されたＤＶＤ２０１の形状にあわせて、ＤＶＤ２０１の中心と概略等しい中心を持った円弧形状としている。
【００３０】
ディスク部背面側の本体上部に、カメラレンズ１１５をテレ側とワイド側の間で焦点距離を切り替えるズーム操作部１０５ａ、１０５ｂと静止画撮影用のレリーズボタン１０６を設けている。
【００３１】
カメラ部背面１０２ａの外形輪郭は、ディスク部背面１０１ａの外形輪郭より小さな輪郭とし、カメラ部背面１０２ａの外形輪郭も、ＤＶＤ２０１の形状にあわせてディスクの中心と概略等しい中心を持った円弧形状とし、ビデオカメラ本体を把持する際は、ディスク部背面１０１ａの外形形状をグリップとする。
【００３２】
カメラ部１０２には、ビューファインダーとして液晶表示部（ＬＣＤ）１０３を搭載しており、上述の従来例のように、ＬＣＤ１０３を１８０°回転させ本体側面の収納部に収納することができる。ＬＣＤ１０３の本体収納部の底面には、バッテリー１０４が、カメラ部１０２に設けられたバッテリー収納部に着脱自在に装着されている。ＬＣＤ１０３は、回転ヒンジ１１６を介してカメラ部１０２に開閉、回転自在に取り付けられている。カメラ部背面１０２ａには、電源ＯＦＦ／電源ＯＮの録画モード／電源ＯＮの再生モードを切り替える電源スイッチ１０７と録画開始／停止ボタン１０８が設けられている。
【００３３】
カメラ部側面上のＬＣＤ１０３と該カメラ部背面１０２ａの間の面に、ユーザーがディスクに記録されたデータの好みのシーンを自由に組み合わせて所望のデータへ編集する時、ＬＣＤの画像表示面１０３ａにメニュー画面を表示させる為のメニューボタン１０９と、各操作の選択解除などに用いるキャンセルボタン１１０を設置する。さらに、任意のシーンの選択や、選択したシーンのＩＮとＯＵＴのポイントを設定するなど、カーソルシフト操作を行うための十字キー１１１と、該十字キー１１１の中心に、カーソル選択を決定する際に押圧する決定部材１１２を設置する。メニュー画面を観察しながら行うデータの編集方法と、十字キー１１１、１１２の機構については公知の技術であるので、ここでは詳しい説明は省略する。また、外部プリンタ等への接続時に用いる静止画出力開始／停止スイッチ１１３と、動画と静止画の撮影モードの切り替えスイッチ１１４など、画像表示面１０３ａを見ずとも操作が可能な操作部を、該十字キー１１１やメニューボタン１０９など、画像表示面１０３ａを見ながら操作を行う必要がある操作部より下の面に設置している。撮影画像編集時には、画像表示面１０３ａを見ながら操作を行う必要がある操作部（該十字キー１１１やメニューボタン１０９など）を操作して行うため、使用頻度が高い。
【００３４】
また、外部プリンタ等への接続時に用いる静止画出力開始／停止スイッチ１１３、動画と静止画の撮影モードの切り替えスイッチ１１４など、画像表示面１０３ａを見ずとも操作が可能で、ビデオカメラの機能に関わる操作部を、機能系の操作部。該十字キー１１１、メニューボタン１０９など、画像表示面１０３ａを見ながら使用する操作部で、主に編集や設定を行う場合使用する操作部を指示系の操作部と呼ぶ。
【００３５】
図３は図１、２に示した実施形態のビデオカメラのユーザーの撮影時の使用状態を背面側から見た図である。右手３０１でカメラ本体のディスク部１０１をホールドし、左手でＬＣＤ１０３を開き、見易い位置まで回動させ、右手で電源スイッチ１０７を操作し、本体の電源をＯＮとし、録画開始／停止ボタン１０８を押圧して撮影を開始する。撮影中は、右手３０１でズーム操作部１０５や静止画撮影用のレリーズボタン１０６を操作する。このように、撮影中の操作は主に右手３０１のみで行われる。
【００３６】
従来の撮像装置では、ビデオカメラの背面である撮影者側の筐体は角張っており、撮影者がグリップした際にホールド感が悪かったが、本発明の撮像装置では、筐体が円状の記録媒体の形状に合せて、円弧状になっているため、前記筐体の円弧部分３０２と、撮影者の手がフィットする。これにより非常にグリップ感の良い撮像装置が提供できる。また、ＤＶＤ２０１の回転中心と、ビデオカメラ筐体の円弧部分の中心が一致しているため、撮影者がグリップした際に記録媒体を包み込むように把持するので、ＤＶＤ２０１の回転によって発生する振動、ブレを減少させることができる。
【００３７】
本発明のビデオカメラの再生時、特にユーザーが長時間の再生や、複雑な編集作業を行う場合、図４に示す第２のホールド方法で、本体の保持を行うことが出来る。
【００３８】
図４は、図１、２に示した実施形態のビデオカメラのユーザーの使用状態をカメラ部側から見た模式図である。ＬＣＤ１０３は、前述のヒンジ機構により、画像表示面１０３ａを１８０°回転させ、画像表示面１０３ａを外側にして収納している。第２のホールド状態では、右手４０２でディスク部の出っ張り部１０１ａをグリップとして保持する。該右手４０２の親指４０２ａでカメラ部側面で、ＬＣＤ１０３とカメラ部背面１０２ａの間の面に設けられた操作ボタン１０９〜１１４を操作する。ここで、再生時に特に使用頻度の高い、例えばメニュー項目などの選択や決定を指示する指示系の操作部材である、メニューボタン１０９や選択解除キー１１０や十字キー１１１などの操作部材を上部に設ける。再生時においては使用頻度の低い機能系の操作部材である、外部プリンタ等への接続時に用いる静止画出力開始／停止スイッチ１１３は指示系の操作部材等よりも下方に設置し、指示系の操作部材を使い易くしている。さらに、左手４０３で筐体前面を保持することで、姿勢の安定化を図ることができる。
【００３９】
図６に示す従来のビデオカメラでは、操作部材６０２の操作時、ＬＣＤ表示面６０４ａを左手６０７が横切るため、表示画面を見ながら操作部材６０２を操作する動作が非常にやりにくいが、本発明による第２のホールド方法によると、従来のビデオカメラのように、操作部材の操作時にＬＣＤの画像表示面１０３ａを左手４０３が横切らない為、ＬＣＤの画像表示面１０３ａの視認性悪化がない。そのため、ＬＣＤの画像表示面１０３ａを見ながら操作ボタンを操作する動作が非常に行い易い。すなわち使い勝手の面で有利である。
【００４０】
また、録画開始／停止ボタン１０８や、電源スイッチ１０７など、再生時に使用頻度の低い操作部（記録時に使用頻度の高い操作部）を、カメラ部背面１０２ａに配置する。これにより、第２のホールド状態では、再生時に使用頻度の低い操作部（記録時に使用頻度の高い操作部）に右手４０２が接触しない為、再生時、ユーザーが誤って操作することを防止できる。
【００４１】
さらに、ディスク部１０１の上部に設置したズーム操作部１０５の機能を、再生時に早送り／巻き戻しに設定し、静止画撮影用のレリーズボタン１０６を再生画像の停止／再生などに設定する。つまりここには、撮影時、再生時共に使用頻度の高い操作部材が配置されることになる。これにより、第２のホールド状態で保持した状態で、右手４０２を大きく動かさず、右手の人差し指４０２ｂによって操作することが可能となる。これによって再生時の編集操作を主に右手４０２のみで行うことが出来るようになる為、操作性が非常に良い。
【００４２】
図５は、本発明によるディスクドライブ付きビデオカメラの別の実施形態の側面から見た図である。図のように、再生時に使用頻度が高く、撮影時に使用頻度の低い、早送り／巻き戻し、停止／再生等の操作部材５０１をカメラ部の背面１０２ａと、ディスク部１０１の外形輪郭の間の面に別に配置する。
【００４３】
該操作部材５０１は、図３に示す撮影時のホールド状態では、親指３０１ａで操作することが出来ない。そのため、ユーザーが誤って操作することを防止できる。しかし、図４に示す再生時の第２のホールド状態では、該操作部材５０１は本体の側面のＬＣＤ表示画面と同様に外部に向かって配置されることになるため、画像表示面１０３ａを見ながらの操作が非常に行い易い。
【００４４】
このように、本発明により操作部材増加による、操作の分かりにくさを解消し、特に再生時に操作性の良いビデオカメラの提供が可能となる。
【００４５】
なお、本発明の機械的構成要素は前述の構成に限定されるものではない。
【図面の簡単な説明】
【００４６】
【図１】本発明の実施例のビデオカメラを構成する要部を模式的に表した斜視図
【図２】本発明の実施例のビデオカメラ構成する要部を模式的に表した、背面からの斜視図
【図３】本発明の実施例のビデオカメラの記録時のホールド状態を表す模式図
【図４】本発明の実施例のビデオカメラの再生時、第２のホールド状態を表す模式図
【図５】本発明の別の実施例のビデオカメラを構成する要部を模式的に表した斜視図
【図６】従来のビデオカメラを構成する要部を模式的に表した斜視図
【図７】従来のビデオカメラを構成する要部を模式的に表した斜視図
【符号の説明】
【００４７】
１０１  ディスク部
１０１ａ  ディスク部背面
１０２  カメラ部
１０２ａ  カメラ部背面
１０３  液晶表示部（ＬＣＤ）
１０３ａ  画像表示面
１０４  バッテリー
１０５ａ、１０５ｂ  ズーム操作部
１０６  レリーズボタン
１０７  電源スイッチ
１０８  録画開始／停止ボタン
１０９  メニューボタン
１１０  キャンセルボタン
１１１  十字キー
１１２  決定部材
１１３  静止画出力開始／停止スイッチ
１１４  撮影モード切り替えスイッチ
１１５  カメラレンズ
１１６  回転ヒンジ
２０１  ＤＶＤ
２０２  ディスクドライブ装置
２０３  ディスク開閉蓋
【図１】
2007036466.tif 000003
【図２】
2007036466.tif 000004
【図３】
2007036466.tif 000005
【図４】
2007036466.tif 000006
【図５】
2007036466.tif 000007
【図６】
2007036466.tif 000008
【図７】
2007036466.tif 000009